(57)【要約】【課題】大画面、高精細度パネルであっても、十分な駆動マージンを確保して、プラズマディスプレイパネルに高品質の画像を安定して表示する。【解決手段】少なくとも１つのサブフィールドの書込み期間Ｐｗにおいて、データ電極Ｄ１〜Ｄｍに書込みパルスを印加することなく所定の走査電極ＳＣ１に第１の走査パルスを印加し、その後、走査電極ＳＣ１〜ＳＣｎに第２の走査パルスを順次印加するとともに画像信号に応じた書込みパルスをデータ電極Ｄ１〜Ｄｍに印加する。【選択図】図３
2013145270.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
少なくとも１つのサブフィールドの書込み期間において、
前記データ電極に書込みパルスを印加することなく所定の走査電極に第１の走査パルスを印加し、
その後、前記走査電極に第２の走査パルスを順次印加するとともに、画像信号に応じた書込みパルスを前記データ電極に印加することを特徴とするプラズマディスプレイパネルの駆動方法。
【請求項２】
前記所定の走査電極は、端部に配列された走査電極であることを特徴とする請求項１に記載のプラズマディスプレイパネルの駆動方法。
【請求項３】
前記所定の走査電極は、画像信号に応じた書込みパルスを前記データ電極に印加するとともに最初に第２の走査パルスを印加する走査電極であることを特徴とする請求項１に記載のプラズマディスプレイパネルの駆動方法。
【請求項４】
走査電極と維持電極とデータ電極とを有する放電セルを複数備えたプラズマディスプレイパネルと、初期化期間と書込み期間と維持期間とを有するサブフィールドを複数用いて１つのフィールドを構成して前記プラズマディスプレイパネルを駆動する駆動回路とを備えたプラズマディスプレイ装置であって、
前記駆動回路は、
少なくとも１つのサブフィールドの書込み期間において、
前記データ電極に書込みパルスを印加することなく所定の走査電極に第１の走査パルスを印加し、
その後、前記走査電極に第２の走査パルスを順次印加するとともに、画像信号に応じた書込みパルスを前記データ電極に印加する構成であることを特徴とするプラズマディスプレイ装置。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）として代表的な交流面放電型のパネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドで構成し、発光させるサブフィールドの組み合わせによって階調表示を行うサブフィールド法が一般的である。各サブフィールドは、初期化期間、書込み期間および維持期間を有する。初期化期間では初期化放電を発生し、続く書込み動作に必要な壁電荷を形成する初期化動作を行う。書込み期間では、表示する画像に応じて放電セルで選択的に書込み放電を発生し壁電荷を形成する。そして維持期間では、走査電極と維持電極とに交互に維持パルスを印加して維持放電を発生させ、対応する放電セルの蛍光体層を発光させることにより画像表示を行う。
【０００４】
サブフィールド法の中でも最も低い階調である黒を表示する際の輝度を下げ、階調表示に関係しない発光を極力減らしてコントラストを向上させる駆動方法が検討されている。例えば特許文献１には、維持期間の最後において走査電極に上り傾斜電圧を印加しその次の初期化期間において走査電極に下り傾斜電圧を印加して直前のサブフィールドで書込み放電を行った放電セルのみで初期化放電を発生させる、いわゆる選択初期化動作を行う駆動方法が開示されている。しかし傾斜電圧を用いた放電は微弱な放電であり、それ以前の放電セルの壁電荷の履歴を完全に消去することができず、その結果、駆動電圧のマージンが狭くなるという課題があった。
【０００５】
これに対し、特許文献２には、初期化放電が発生する所定の電圧まで上昇する上り傾斜電圧を走査電極に印加し、その後、走査電極に下り傾斜電圧を印加するとともに維持電極にも下り傾斜電圧を印加し、その後、所定の電圧よりも低い電圧まで上昇する上り傾斜電圧を走査電極に印加し、その後、走査電極に下り傾斜電圧を印加するとともに維持電極にも下り傾斜電圧を印加することにより、壁電圧を精度よく制御して、十分な駆動マージンを確保しつつ安定した書込み放電を発生させるパネルの駆動方法が記載されている。
【先行技術文献】
【特許文献】
【０００６】
【特許文献１】特開２００８−２５６７７４号公報
【特許文献２】特開２０１１−１７９５１号公報
【発明の概要】
【発明が解決しようとする課題】
【０００７】
近年、パネルはますます大画面化、高精細度化する傾向にある。しかしパネルを大画面化すると、全ての放電セルの放電特性を均一に揃えることが難しくなる。またパネルの大画面化にともない各放電セルまでの電流経路のインピーダンスが増加して各放電セルに印加される電圧のばらつきが大きくなる。さらにパネルの高精細化にともない隣接する放電セルの放電の影響を受けて放電セル内の壁電荷が変化しやすくなる。このようにパネルを大画面化、高精細度化すると、駆動マージンを低下させる要因がますます増加するため、特許文献２に記載の駆動方法による壁電圧の制御だけでは十分な駆動マージンを確保することが難しくなってきている。
【０００８】
本発明は上記の課題に鑑みなされたものであり、大画面、高精細度パネルであっても、十分な駆動マージンを確保して、高品質の画像を安定して表示することができるプラズマディスプレイパネルの駆動方法、およびプラズマディスプレイ装置を提供することを目的とする。
【課題を解決するための手段】
【０００９】
上記目的を達成するために本発明は、初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、少なくとも１つのサブフィールドの書込み期間において、データ電極に書込みパルスを印加することなく所定の走査電極に第１の走査パルスを印加し、その後、走査電極に第２の走査パルスを順次印加するとともに画像信号に応じた書込みパルスをデータ電極に印加することを特徴とする。この方法により、大画面、高精細度パネルであっても、十分な駆動マージンを確保して、高品質の画像を安定して表示することができるプラズマディスプレイパネルの駆動方法を提供することができる。
【００１０】
また本発明の所定の走査電極は、端部に配列された走査電極であることが望ましい。
【００１１】
また本発明の所定の走査電極は、画像信号に応じた書込みパルスをデータ電極に印加するとともに最初に第２の走査パルスを印加する走査電極であることが望ましい。
【００１２】
また本発明は、走査電極と維持電極とデータ電極とを有する放電セルを複数備えたプラズマディスプレイパネルと、初期化期間と書込み期間と維持期間とを有するサブフィールドを複数用いて１つのフィールドを構成して前記プラズマディスプレイパネルを駆動する駆動回路とを備えたプラズマディスプレイ装置であって、駆動回路は、少なくとも１つのサブフィールドの書込み期間において、データ電極に書込みパルスを印加することなく所定の走査電極に第１の走査パルスを印加し、その後、走査電極に第２の走査パルスを順次印加するとともに、画像信号に応じた書込みパルスをデータ電極に印加する構成であることを特徴とする。この構成により、大画面、高精細度パネルであっても、十分な駆動マージンを確保して、高品質の画像を安定して表示することができるプラズマディスプレイ装置を提供することができる。
【発明の効果】
【００１３】
本発明によれば、大画面、高精細度パネルであっても、十分な駆動マージンを確保して、高品質の画像を安定して表示することができるプラズマディスプレイパネルの駆動方法、およびプラズマディスプレイ装置を提供することが可能となる。
【図面の簡単な説明】
【００１４】
【図１】本発明の実施の形態１におけるプラズマディスプレイ装置のパネルの分解斜視図である。
【図２】同プラズマディスプレイ装置のパネルの電極配列図である。
【図３】同プラズマディスプレイ装置の駆動電圧波形図である。
【図４】同プラズマディスプレイ装置のブロック図である。
【図５】同プラズマディスプレイ装置の走査電極駆動回路の回路図である。
【図６】同プラズマディスプレイ装置の維持電極駆動回路の回路図である。
【図７】同プラズマディスプレイ装置のデータ電極駆動回路の回路図である。
【図８】本発明の実施の形態２におけるプラズマディスプレイ装置の駆動電圧波形図である。
【発明を実施するための形態】
【００１５】
以下、本発明の実施の形態におけるプラズマディスプレイ装置について、図面を用いて説明する。
【００１６】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１７】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１８】
なお、パネル１０の構造は上述したものに限られるわけではなく、例えばストライプ状の隔壁を備えたものであってもよい。
【００１９】
図２は、本発明の実施の形態１におけるプラズマディスプレイ装置のパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２０】
次に、プラズマディスプレイ装置の駆動電圧波形について詳細に説明する。本実施の形態においては、１フィールド期間を、初期化期間と書込み期間と維持期間とを有する８個のサブフィールドＳＦ１〜ＳＦ８で構成する。サブフィールドＳＦ１〜ＳＦ８それぞれの輝度重みは、例えば（１、２、３、５、８、１３、２１、３４）である。そしてサブフィールドＳＦ１の初期化期間では、以前の放電の履歴にかかわらず強制的に初期化放電を発生させる強制初期化動作を行い、サブフィールドＳＦ２〜ＳＦ８の初期化期間では、直前のサブフィールドで放電を発生させた放電セルのみで初期化放電を発生させる選択初期化動作を行う。しかし本発明は、上述したサブフィールド数、輝度重み等のサブフィールド構成に限定されるものではない。
【００２１】
図３は、本発明の実施の形態１におけるプラズマディスプレイ装置の駆動電圧波形図であり、サブフィールドＳＦ１〜ＳＦ３においてパネル１０の各電極に印加する駆動電圧波形を示している。
【００２２】
サブフィールドＳＦ１の初期化期間Ｐｉａでは強制初期化動作を行う。便宜上サブフィールドＳＦ１の初期化期間Ｐｉａを第１期間Ｐｉ１から第５期間Ｐｉ５までの五つの期間に分け、それぞれの期間について詳細に説明する。
【００２３】
初期化期間Ｐｉａの第１期間Ｐｉ１では、データ電極Ｄ１〜Ｄｍを電圧０（Ｖ）にした後でハイインピーダンス状態とし、維持電極ＳＵ１〜ＳＵｎに電圧０（Ｖ）を印加する。そして走査電極ＳＣ１〜ＳＣｎには電圧Ｖｉ１から正極性の電圧Ｖｉ２まで上昇する上り傾斜電圧を印加する。すると走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。ここで、電極上の壁電圧とは電極を覆う誘電体層上、保護層上、蛍光体層上等に蓄積された壁電荷により生じる電圧を表す。こうして各放電セルの放電の履歴に依存する壁電圧のばらつきを無くし、各放電セルの壁電圧をそろえる初期化放電を発生させる。
【００２４】
なおデータ電極Ｄ１〜Ｄｍをハイインピーダンス状態にするのは、データ電極Ｄ１〜Ｄｍの電圧をある程度上昇させるためである。すると走査電極ＳＣ１〜ＳＣｎと維持電極ＳＵ１〜ＳＵｎとの間の放電が、走査電極ＳＣ１〜ＳＣｎとデータ電極Ｄ１〜Ｄｍとの間の放電よりも先に発生して、初期化放電を安定させることができる。しかしこの電圧は必ずしも必要ではなく、データ電極Ｄ１〜Ｄｍに電圧０（Ｖ）を印加したままでもよい。
【００２５】
初期化期間Ｐｉａの第２期間Ｐｉ２では、データ電極Ｄ１〜Ｄｍに電圧０（Ｖ）を印加し、維持電極ＳＵ１〜ＳＵｎに正極性の電圧Ｖｅを印加する。そして走査電極ＳＣ１〜ＳＣｎには電圧Ｖｉ３から負極性の電圧Ｖｉ４まで下降する下り傾斜電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負極性の壁電圧および維持電極ＳＵ１〜ＳＵｎ上の正極性の壁電圧が弱められ、データ電極Ｄ１〜Ｄｍ上の正極性の壁電圧は書込み動作に適した値に調整される。
【００２６】
初期化期間Ｐｉａの第３期間Ｐｉ３では、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から正極性の電圧Ｖｒまで上昇する上り傾斜電圧を印加する。このとき初期化期間Ｐｉａの第２期間Ｐｉ２において壁電圧が正しく調整された放電セルでは放電は発生しない。しかし何らかの理由で異常な壁電荷が残留している放電セルでは放電が発生して異常な壁電荷が消去される。
【００２７】
初期化期間Ｐｉａの第４期間Ｐｉ４では、データ電極Ｄ１〜Ｄｍに電圧０（Ｖ）を印加し、維持電極ＳＵ１〜ＳＵｎに電圧Ｖｅを印加する。そして走査電極ＳＣ１〜ＳＣｎには電圧０（Ｖ）から電圧Ｖｉ４まで下降する下り傾斜電圧を印加する。このとき初期化期間Ｐｉａの第２期間Ｐｉ２において壁電圧が正しく調整された放電セルでは放電は発生しない。しかし初期化期間Ｐｉａの第３期間Ｐｉ３で放電を発生した放電セルでは、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００２８】
初期化期間Ｐｉａの第５期間Ｐｉ５では、データ電極Ｄ１〜Ｄｍに電圧Ｖｄを印加し、維持電極ＳＵ１〜ＳＵｎに電圧Ｖｅを印加する。そして走査電極ＳＣ１〜ＳＣｎには、電圧Ｖｉ４よりも高い電圧、本実施の形態においては絶対値が電圧Ｖｉ４よりも小さい負極性の電圧Ｖｉ６まで下降する下り傾斜電圧を印加する。ここで第５期間Ｐｉ５においてデータ電極Ｄ１〜Ｄｍに印加する電圧Ｖｄから走査電極ＳＣ１〜ＳＣｎに印加する下り傾斜電圧の到達電圧Ｖｉ６を減じた電圧（Ｖｄ−Ｖｉ６）が、第４期間Ｐｉ４においてデータ電極Ｄ１〜Ｄｍに印加する電圧０（Ｖ）から走査電極ＳＣ１〜ＳＣｎに印加する下り傾斜電圧の到達電圧Ｖｉ４を減じた電圧（０−Ｖｉ４）よりも高い電圧となるように設定されている。そのためデータ電極と走査電極との間に過剰な壁電圧が残留している放電セルがあると、第５期間Ｐｉ５においてもデータ電極と走査電極との間で微弱な放電が発生して壁電圧の過剰部分が放電されて、書込み動作に適した値に再調整される。
【００２９】
以上により、強制的に初期化放電を行う強制初期化動作が終了する。なお本実施の形態においてはサブフィールドＳＦ１の初期化期間Ｐｉａを五つの期間に分け、それぞれの期間において各電極に駆動電圧波形を印加した。しかしサブフィールドＳＦ１の初期化期間Ｐｉａを第１期間Ｐｉ１と第２期間Ｐｉ２と第５期間Ｐｉ５とで構成し、第３期間Ｐｉ３と第４期間Ｐｉ４とを省略してもよい。
【００３０】
続く書込み期間Ｐｗでは、まず走査電極ＳＣ１を共有する放電セルの壁電圧の微調整を行う。具体的にはデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。次にデータ電極Ｄ１〜Ｄｍに書込みパルスを印加することなく電圧０（Ｖ）に保持したまま、１行目の走査電極ＳＣ１に電圧Ｖａ２の第１の走査パルスを印加する。するとデータ電極Ｄ１〜Ｄｍと走査電極ＳＣ１上との交差部で弱い放電が発生する。そして走査電極ＳＣ１を共有する放電セルのデータ電極Ｄ１〜Ｄｍ上の正極性の過剰な壁電圧が弱められ、続く書込み動作に適した値に調整される。
【００３１】
本実施の形態において、走査電極ＳＣ１を共有する放電セルの壁電圧の微調整を行う理由は以下のとおりである。複数配列された走査電極ＳＣ１〜ＳＣｎのそれぞれは駆動回路から見ると容量性の負荷である。そして走査電極ＳＣ２〜ＳＣ（ｎ−１）のそれぞれは、その両側に走査電極または維持電極が配置されているので比較的大きな負荷容量を有している。しかし端部に配列された走査電極ＳＣ１と走査電極ＳＣｎとは、その片方側にしか走査電極または維持電極が配置されていないので負荷容量は小さい。
【００３２】
データ電極上の壁電圧は、初期化期間Ｐｉａの第５期間Ｐｉ５において走査電極ＳＣ１〜ＳＣｎに電圧Ｖｉ６まで下降する下り傾斜電圧を印加して調整される。しかし走査電極ＳＣ１および走査電極ＳＣｎは負荷容量が小さいためデータ電極Ｄ１〜Ｄｍの電圧変化の影響を受けやすく、走査電極ＳＣ１および走査電極ＳＣｎに印加される下り傾斜電圧の実質的な到達電圧は電圧Ｖｉ６よりも高くなる。そのため走査電極ＳＣ１および走査電極ＳＣｎを共有する放電セルのデータ電極Ｄ１〜Ｄｍ上には正極性の壁電圧が過剰に残留することになる。そしてこの過剰な壁電圧は、次の書込み動作において誤放電を発生する原因となる。
【００３３】
本実施の形態においては、この壁電圧の過剰な部分を放電させるために、データ電極Ｄ１〜Ｄｍに書込みパルスを印加することなく走査電極ＳＣ１に第１の走査パルスを印加している。なお走査電極ＳＣｎについては、後述するように、最後に書込み動作をおこなう。そのため壁電圧がある程度減少することを見越して走査電極ＳＣｎには第１の走査パルスを印加しなかった。しかしデータ電極Ｄ１〜Ｄｍに書込みパルスを印加することなく走査電極ＳＣ１および走査電極ＳＣｎに第１の走査パルスを印加してもよい。
【００３４】
次に書込み動作を行う。具体的には、まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。次に、１行目の走査電極ＳＣ１に電圧Ｖａの第２の走査パルス（以下、単に「走査パルス」と略記する）を印加し、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した放電セルのデータ電極Ｄｋ上と走査電極ＳＣ１上との交差部の電圧差は放電開始電圧を超え、データ電極Ｄｋと走査電極ＳＣ１との間および維持電極ＳＵ１と走査電極ＳＣ１との間に書込み放電が起こる。そして走査電極ＳＣ１上に正極性の壁電圧が蓄積され、維持電極ＳＵ１上に負極性の壁電圧が蓄積され、データ電極Ｄｋ上にも負極性の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３５】
次に、２行目の走査電極ＳＣ２に電圧Ｖａの走査パルスを印加し、データ電極Ｄ１〜Ｄｍのうち２行目に発光させるべき放電セルのデータ電極Ｄｋに電圧Ｖｄの書込みパルスを印加する。すると書込みパルスを印加した放電セルのデータ電極Ｄｋと走査電極ＳＣ２との間および維持電極ＳＵ２と走査電極ＳＣ２との間に書込み放電が起こる。一方、書込みパルスを印加しなかったデータ電極と走査電極ＳＣ２との交差部の電圧は放電開始電圧を超えないので、書込み放電は発生しない。
【００３６】
以下同様に、走査電極ＳＣ３〜ＳＣｎに走査パルスを順次印加するとともに発光させるべき放電セルのデータ電極Ｄｋに書込みパルスを印加して、３〜ｎ行目に発光させるべき放電セルで書込み放電を発生させる。以上により書込み動作が終了する。
【００３７】
このように少なくとも１つのサブフィールドの書込み期間、本実施の形態では後述する全ての書込み期間Ｐｗにおいて、データ電極Ｄ１〜Ｄｍに書込みパルスを印加することなく所定の走査電極に第１の走査パルスを印加し、その後、走査電極ＳＣ１〜ＳＣｎに第２の走査パルスを順次印加するとともに、画像信号に応じた書込みパルスをデータ電極Ｄｋに印加する。ここで本実施の形態においては、所定の走査電極は、端部に配列された走査電極であって、画像信号に応じた書込みパルスをデータ電極に印加するとともに最初に第２の走査パルスを印加する走査電極ＳＣ１である。なお第１の走査パルスの電圧Ｖａ２は第２の走査パルスの電圧Ｖａに近い電圧に設定することが望ましく、本実施の形態においては電圧Ｖａ２は電圧Ｖａに等しい。以下、第１の走査パルスおよび第２の走査パルスをともに「走査パルス」と略記する。
【００３８】
続く維持期間Ｐｓでは、データ電極Ｄ１〜Ｄｍに電圧０（Ｖ）を印加する。そして走査電極ＳＣ１〜ＳＣｎに正極性の電圧Ｖｓの維持パルスを印加するとともに維持電極ＳＵ１〜ＳＵｎに電圧０（Ｖ）を印加する。すると書込み放電を起こした放電セルでは、走査電極ＳＣｉと維持電極ＳＵｉとの間に維持放電が起こり、このとき発生した紫外線により蛍光体層２５が発光する。そして走査電極ＳＣｉ上に負極性の壁電圧が蓄積され、維持電極ＳＵｉ上に正極性の壁電圧が蓄積される。さらにデータ電極Ｄｋ上にも正極性の壁電圧が蓄積される。書込み放電を起こさなかった放電セルでは維持放電は発生せず、初期化期間Ｐｉａの終了時における壁電圧が保たれる。
【００３９】
続いて、走査電極ＳＣ１〜ＳＣｎには電圧０（Ｖ）を印加するとともに維持電極ＳＵ１〜ＳＵｎには電圧Ｖｓの維持パルスを印加する。すると維持放電を起こした放電セルでは再び維持放電が起こり、維持電極ＳＵｉ上に負極性の壁電圧が蓄積され走査電極ＳＣｉ上に正極性の壁電圧が蓄積される。以下同様に輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。
【００４０】
そして走査電極ＳＣ１〜ＳＣｎの電圧を電圧０（Ｖ）に保持したまま、維持電極ＳＵ１〜ＳＵｎの電圧を維持パルスの高圧側の電圧Ｖｓから一旦維持パルスの低圧側の電圧０（Ｖ）に下げ、その直後に維持パルスの低圧側の電圧０（Ｖ）より高く維持パルスの高圧側の電圧Ｖｓ以下の電圧Ｖｅ２を印加する。すると維持電極ＳＵ１〜ＳＵｎに電圧０（Ｖ）を印加した時点で消去放電が発生して維持電極ＳＵｉの負極性の壁電圧および走査電極ＳＣｉ上の正極性の壁電圧が弱められることがある。しかし消去放電が収束する前に、維持電極ＳＵ１〜ＳＵｎに電圧Ｖｅ２を印加するので、放電空間に存在する荷電粒子が再配置されて、維持電極ＳＵｉ上に負極性の壁電圧が蓄積され走査電極ＳＣｉ上に正極性の壁電圧が蓄積される。
【００４１】
このように本実施の形態においては、維持電極ＳＵ１〜ＳＵｎの電圧を、維持パルスの高圧側の電圧Ｖｓ、維持パルスの低圧側の電圧０（Ｖ）、維持パルスの低圧側の電圧０（Ｖ）より高く維持パルスの高圧側の電圧Ｖｓ以下の電圧Ｖｅ２と変化させて、いわゆる細幅パルスを印加することで、維持電極ＳＵｉの負極性の壁電圧および走査電極ＳＣｉ上の正極性の壁電圧の減少を防いでいる。なお、細幅パルスのパルス幅、すなわち維持電極ＳＵ１〜ＳＵｎに電圧０（Ｖ）を印加する時間は２μｓ以下が望ましく、本実施の形態においては１μｓに設定している。また電圧Ｖｅ２は維持パルスの低圧側の電圧０（Ｖ）より高く維持パルスの高圧側の電圧Ｖｓ以下の電圧が望ましく、本実施の形態においては電圧Ｖｅ２を電圧Ｖｅと等しい電圧に設定している。
【００４２】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると、維持電極ＳＵｉ上に負極性の壁電圧、走査電極ＳＣｉ上に正極性の壁電圧がそれぞれ蓄積されているので、この間に、維持放電を発生した走査電極ＳＣｉと維持電極ＳＵｉとの間で微弱な消去放電が発生する。そしてデータ電極Ｄｋ上の正極性の壁電圧を残したまま、走査電極ＳＣｉ上および維持電極ＳＵｉ上の壁電圧を弱める。以上により維持動作が終了する。
【００４３】
このように少なくとも１つのサブフィールドの維持期間、本実施の形態では後述する全ての維持期間Ｐｓにおいて、輝度重みに応じた数の維持パルスを走査電極ＳＣ１〜ＳＣｎと維持電極ＳＵ１〜ＳＵｎとに交互に印加し、最後に走査電極ＳＣ１〜ＳＣｎに維持パルスの低圧側の電圧０（Ｖ）を印加するとともに維持電極ＳＵ１〜ＳＵｎに維持パルスの高圧側の電圧Ｖｓを印加し、その後、走査電極ＳＣ１〜ＳＣｎに維持パルスの低圧側の電圧０（Ｖ）を印加するとともに維持電極ＳＵ１〜ＳＵｎに維持パルスの低圧側０（Ｖ）の電圧を印加し、その後、走査電極ＳＣ１〜ＳＣｎに維持パルスの低圧側の電圧０（Ｖ）を印加するとともに維持電極ＳＵ１〜ＳＵｎに維持パルスの低圧側の電圧０（Ｖ）より高く維持パルスの高圧側の電圧Ｖｓ以下の電圧Ｖｅ２を印加し、所定の時間の後、維持電極ＳＵ１〜ＳＵｎに維持パルスの低圧側の電圧０（Ｖ）を印加するとともに走査電極ＳＣ１〜ＳＣｎに正極性の電圧Ｖｒまで上昇する上り傾斜電圧を印加する。そして所定の時間は、２μｓ以下である。これにより、放電空間に存在する荷電粒子が再配置されて、維持電極ＳＵｉ上に負極性の壁電圧が蓄積され走査電極ＳＣｉ上に正極性の壁電圧が蓄積される。
【００４４】
サブフィールドＳＦ２の初期化期間Ｐｉｂでは選択初期化動作を行う。本実施の形態においては、最初に走査電極ＳＣｉとデータ電極Ｄｋとの間で選択的に初期化放電を発生させ、その後に走査電極ＳＣｉと維持電極ＳＵｉとの間で選択的に初期化放電を発生させる。便宜上サブフィールドＳＦ２の初期化期間Ｐｉｂを、走査電極ＳＣｉとデータ電極Ｄｋとの間で初期化放電を発生させる第６期間Ｐｉ６と、走査電極ＳＣｉと維持電極ＳＵｉとの間で初期化放電を発生させる第７期間Ｐｉ７との二つの期間に分け、それぞれの期間について詳細に説明する。
【００４５】
初期化期間Ｐｉｂの第６期間Ｐｉ６では、データ電極Ｄ１〜Ｄｍに第１の電圧０（Ｖ）を印加し、維持電極ＳＵ１〜ＳＵｎに第２の電圧０（Ｖ）を印加し、走査電極ＳＣ１〜ＳＣｎには電圧０（Ｖ）から第３の電圧Ｖｉ４まで下降する下り傾斜電圧を印加する。すると、維持電極ＳＵｉと走査電極ＳＣｉとの間の電圧は放電開始電圧を超えず、データ電極Ｄｋと走査電極ＳＣｉとの間の電圧は放電開始電圧を超える。そして、直前のサブフィールドＳＦ１で維持放電を起こした放電セルでは、走査電極ＳＣｉとデータ電極Ｄｋとの間で微弱な第１の初期化放電が発生し、維持放電によって蓄積されたデータ電極Ｄｋ上の正極性の壁電圧の過剰な部分が放電され、書込み動作に適した壁電圧に調整される。一方、直前のサブフィールドＳＦ１で維持放電を起こさなかった放電セルでは放電は発生せず、直前のサブフィールドＳＦ１の初期化期間Ｐｉａ終了時における壁電圧が保たれる。
【００４６】
ここで本実施の形態において走査電極ＳＣ１〜ＳＣｎに印加する下り傾斜電圧は、第３の電圧Ｖｉ４まで下降する前に一旦傾斜を緩やかにする、あるいは一旦傾斜を止めて放電を停止させ、その後に再び電圧を第３の電圧Ｖｉ４まで下降させて放電を再開させるところに特徴がある。このような駆動電圧波形を走査電極ＳＣ１〜ＳＣｎに印加する理由は以下のとおりである。
【００４７】
電極間に傾斜電圧を印加して弱い放電を発生させると、電極間の電圧は放電開始電圧にほぼ保たれる。しかしながら弱い放電を継続して発生させると、発生したプライミングの影響で実質的な放電開始電圧が低下して、電極間の電圧は放電開始電圧よりも低くなる傾向がある。そのため傾斜電圧を印加した後、早期に放電が開始して放電の継続時間が長くなっている放電セルの電極間電圧は、放電の開始が遅れて放電の継続時間が短い放電セルの電極間電圧より低くなる。この現象は放電セル毎の壁電圧のばらつきの要因になっていた。
【００４８】
このような壁電圧のばらつきを防ぐため本実施の形態においては、走査電極ＳＣ１〜ＳＣｎに印加する下り傾斜電圧を第３の電圧Ｖｉ４まで下降させる前に一旦放電を停止させてプライミングを減少させる。そしてその後に第３の電圧Ｖｉ４まで下降させて放電を再開させている。こうして安定した書込み放電に重要なデータ電極上の壁電圧を精度よく調整している。なお下降を停止する時間は５μｓ以上が望ましく、本実施の形態においては１０μｓである。
【００４９】
初期化期間Ｐｉｂの第７期間Ｐｉ７では、データ電極Ｄ１〜Ｄｍに第４の電圧Ｖｄを印加し、維持電極ＳＵ１〜ＳＵｎに第２の電圧０（Ｖ）より高い第５の電圧Ｖｅを印加し、走査電極ＳＣ１〜ＳＣｎには電圧Ｖｉ４よりも高い第６の電圧Ｖｉ６まで下降する下り傾斜電圧を印加する。すると、維持電極ＳＵｉと走査電極ＳＣｉとの間の電圧は放電開始電圧を超える。そして、直前のサブフィールドＳＦ１で維持放電を起こした放電セルでは、走査電極ＳＣｉと維持電極ＳＵｉとの間で微弱な初期化放電が発生し、走査電極ＳＣｉ上および維持電極ＳＵｉ上の壁電圧が弱められる。一方、直前のサブフィールドＳＦ１で維持放電を起こさなかった放電セルでは放電は発生せず、直前のサブフィールドＳＦ１の初期化期間Ｐｉａ終了時における壁電圧が保たれる。
【００５０】
このときの初期化放電は、上述したように主に走査電極ＳＣｉと維持電極ＳＵｉとの間で発生する。しかし本実施の形態においては、第７期間Ｐｉ７においてデータ電極Ｄ１〜Ｄｍに印加する第４の電圧Ｖｄから走査電極ＳＣ１〜ＳＣｎに印加する下り傾斜電圧の到達電圧である第６の電圧Ｖｉ６を減じた電圧（Ｖｄ−Ｖｉ６）が、第６期間Ｐｉ６においてデータ電極Ｄ１〜Ｄｍに印加する第１の電圧０（Ｖ）から走査電極ＳＣ１〜ＳＣｎに印加する下り傾斜電圧の到達電圧である第３の電圧Ｖｉ４を減じた電圧（０−Ｖｉ４）よりも高い電圧となるように設定されている。そのためデータ電極と走査電極との間に過剰な壁電圧が残留している放電セルがあったとすると、第７期間Ｐｉ７においてもデータ電極と走査電極との間で微弱な放電が発生する。そして壁電圧の過剰部分が放電されて、書込み動作に適した値に再調整される。
【００５１】
このように、少なくとも１つのサブフィールドの初期化期間、本実施の形態においては、選択初期化動作を行うサブフィールドの初期化期間Ｐｉｂにおいて、第１の電圧０（Ｖ）をデータ電極Ｄ１〜Ｄｍに印加し、第２の電圧０（Ｖ）を維持電極ＳＵ１〜ＳＵｎに印加し、電圧０（Ｖ）から第３の電圧Ｖｉ４まで下降する下り傾斜電圧を走査電極ＳＣ１〜ＳＣｎに印加して第１の初期化放電を発生させ、その後、第４の電圧Ｖｄをデータ電極Ｄ１〜Ｄｍに印加し、第５の電圧Ｖｅを維持電極ＳＵ１〜ＳＵｎに印加し、電圧０（Ｖ）から第６の電圧Ｖｉ６まで下降する下り傾斜電圧を走査電極ＳＣ１〜ＳＣｎに印加して第２の初期化放電を発生させる。また、第１の初期化放電では、第１の電圧０（Ｖ）と第２の電圧０（Ｖ）と第３の電圧Ｖｉ４とは、維持電極ＳＵｉと走査電極ＳＣｉとの間の放電開始電圧を超えず、データ電極Ｄｋと走査電極ＳＣｉとの間の放電開始電圧を超える電圧に設定されている。また第２の初期化放電では、第４の電圧Ｖｄと第５の電圧Ｖｅと第６の電圧Ｖｉ６とは、維持電極ＳＵｉと走査電極ＳＣｉとの間の放電開始電圧を超える電圧に設定されている。これにより、走査電極ＳＣｉとデータ電極Ｄｋとの間の初期化放電と走査電極ＳＣｉと維持電極ＳＵｉとの間の初期化放電とを、互いの干渉を受けることなく発生させることができるので、それぞれの電極上の壁電圧、とくにデータ電極Ｄｋ上の壁電圧を精度よく制御することができる。
【００５２】
サブフィールドＳＦ２の書込み期間Ｐｗの動作は、サブフィールドＳＦ１の書込み期間Ｐｗの動作と同じである。すなわち、まずデータ電極Ｄ１〜Ｄｍに電圧０（Ｖ）を印加したまま１行目の走査電極ＳＣ１に負極性の電圧Ｖａ２の走査パルスを印加して、走査電極ＳＣ１を共有する放電セルの壁電圧の微調整を行う。次に走査電極ＳＣ１〜ＳＣｎに走査パルスを順次印加するとともに発光させるべき放電セルのデータ電極Ｄｋに書込みパルスを印加して、順次書込み動作を行う。
【００５３】
サブフィールドＳＦ２の維持期間Ｐｓの動作は、維持パルスの数を除いてサブフィールドＳＦ１の維持期間Ｐｓの動作と同じである。すなわち輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。そしてその後、走査電極ＳＣ１〜ＳＣｎの電圧を電圧０（Ｖ）に保持したまま、維持電極ＳＵ１〜ＳＵｎの電圧を電圧Ｖｓから一旦電圧０（Ｖ）に下げ、その直後に電圧Ｖｅ２を印加して細幅パルスを印加する。そしてその後、維持電極ＳＵ１〜ＳＵｎに電圧０（Ｖ）を印加し、走査電極ＳＣ１〜ＳＣｎに上り傾斜電圧を印加して、データ電極Ｄｋ上の正極性の壁電圧を残したまま、走査電極ＳＣｉ上および維持電極ＳＵｉ上の壁電圧を弱める。
【００５４】
サブフィールドＳＦ３〜ＳＦ８の動作は、維持パルスの数を除いてサブフィールドＳＦ２の動作と同様である。
【００５５】
なお本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７０（Ｖ）、電圧Ｖｉ６＝−１２０（Ｖ）、電圧Ｖａ＝−２００（Ｖ）、電圧Ｖｃ＝−５０（Ｖ）、電圧Ｖｓ＝２００（Ｖ）、電圧Ｖｒ＝２００（Ｖ）、電圧Ｖｅ＝電圧Ｖｅ２＝１５０（Ｖ）、電圧Ｖｄ＝６０（Ｖ）である。またサブフィールドＳＦ１の初期化期間Ｐｉａにおいて走査電極に印加する上り傾斜電圧の傾斜は、１．５（Ｖ／μｓ）、初期化期間Ｐｉａ、Ｐｉｂにおいて走査電極に印加する下り傾斜電圧の傾斜は、−２．５（Ｖ／μｓ）、維持期間Ｐｓの最後において走査電極に印加する上り傾斜電圧の傾斜は、１０（Ｖ／μｓ）である。ただしこれらの電圧値および傾斜電圧の傾斜は一例を挙げたに過ぎず、パネル１０の特性やプラズマディスプレイ装置の仕様等に合わせて、適宜最適な値に設定することが望ましい。
【００５６】
次に、パネル１０を駆動するための駆動回路について説明する。図４は、本発明の実施の形態におけるプラズマディスプレイ装置３０のブロック図である。プラズマディスプレイ装置３０は、走査電極ＳＣ１〜ＳＣｎと維持電極ＳＵ１〜ＳＵｎとデータ電極Ｄ１〜Ｄｍとを有する放電セルを複数備えたパネル１０と、初期化期間Ｐｉａまたは初期化期間Ｐｉｂと書込み期間Ｐｗと維持期間Ｐｓとを有するサブフィールドを複数用いて１つのフィールドを構成するとともに駆動電圧波形を発生してパネル１０を駆動する駆動回路とを備えている。駆動回路は、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００５７】
画像信号処理回路３１は、入力された画像信号をサブフィールド毎の発光・非発光を示す画像データに変換する。データ電極駆動回路３２はサブフィールド毎の画像データを各データ電極Ｄ１〜Ｄｍに対応する書込みパルスに変換し各データ電極Ｄ１〜Ｄｍに印加する。タイミング発生回路３５は垂直および水平同期信号をもとにして各回路ブロックの動作を制御する各種のタイミング信号を発生し、それぞれの回路ブロックへ供給する。走査電極駆動回路３３は、タイミング信号にもとづいて上述した駆動電圧波形を発生し各走査電極ＳＣ１〜ＳＣｎのそれぞれに印加する。維持電極駆動回路３４は、タイミング信号にもとづいて上述した駆動電圧波形を発生し維持電極ＳＵ１〜ＳＵｎに印加する。
【００５８】
図５は、本発明の実施の形態１におけるプラズマディスプレイ装置３０の走査電極駆動回路３３の回路図である。走査電極駆動回路３３は、維持パルス発生回路５０と、傾斜電圧発生回路６０と、走査パルス発生回路７０とを備えている。
【００５９】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５をオンにすることで走査電極ＳＣ１〜ＳＣｎに電圧Ｖｓを印加し、スイッチング素子Ｑ５６をオンにすることで走査電極ＳＣ１〜ＳＣｎに電圧０（Ｖ）を印加する。スイッチング素子Ｑ５９は分離スイッチであり、走査電極駆動回路３３を構成するスイッチング素子の寄生ダイオード等を介して電流が逆流するのを防止するために設けられている。
【００６０】
走査パルス発生回路７０は、スイッチング素子Ｑ７１Ｈ１〜Ｑ７１Ｈｎ、スイッチング素子Ｑ７１Ｌ１〜Ｑ７１Ｌｎ、スイッチング素子Ｑ７２を有する。そして電圧Ｖａの電源、および走査パルス発生回路７０の基準電位（図５に示した節点Ａの電位）に重畳された電圧Ｖｐの電源Ｅ７１をもとにして走査パルスを発生する。スイッチング素子Ｑ７２をオンにし、スイッチング素子Ｑ７１Ｈｉをオンにすることで走査電極ＳＣｉに電圧（Ｖｐ＋Ｖａ）を印加する。ここで電圧（Ｖｐ＋Ｖａ）は電圧Ｖｃに等しい。またスイッチング素子Ｑ７２をオンにし、スイッチング素子Ｑ７１Ｌｉをオンにすることで走査電極ＳＣｉに電圧Ｖａを印加する。こうして図３に示したタイミングで走査パルスを順次印加する。なお、スイッチング素子Ｑ７２をオフにすることで、維持パルス発生回路５０の出力電圧あるいは傾斜電圧発生回路６０の出力電圧をそのまま、あるいは電圧Ｖｐを重畳して出力する。すなわち、節点Ａの電圧、あるいは節点Ａの電圧に電圧Ｖｐを重畳した電圧を走査電極ＳＣ１〜ＳＣｎに印加する。
【００６１】
傾斜電圧発生回路６０は、ミラー積分回路６１、ミラー積分回路６３を備え、図３に示した傾斜電圧を発生させる。ミラー積分回路６１は、トランジスタＱ６１とコンデンサＣ６１と抵抗Ｒ６１とを有し、入力端子ＩＮ６１に一定の電圧を印加することにより、電圧Ｖｒに向かって上昇する上り傾斜電圧を発生する。例えばスイッチング素子Ｑ７１Ｈ１〜Ｑ７１Ｈｎをオンにしてミラー積分回路６１を動作させると、初期化期間Ｐｉａの第１期間Ｐｉ１に示したように、電圧（Ｖｒ＋Ｖｐ）に向かって上昇する上り傾斜電圧を発生させることができる。ここで電圧（Ｖｒ＋Ｖｐ）は電圧Ｖｉ２に等しい。またスイッチング素子Ｑ７１Ｌ１〜Ｑ７１Ｌｎをオンにしてミラー積分回路６１を動作させると、初期化期間Ｐｉａの第３期間Ｐｉ３および維持期間の最後に示したように、電圧Ｖｒに向かって上昇する上り傾斜電圧を発生させることができる。
【００６２】
ミラー積分回路６３は、トランジスタＱ６３とコンデンサＣ６３と抵抗Ｒ６３とを有し、入力端子ＩＮ６３に一定の電圧を印加することにより、初期化期間Ｐｉａの第２期間Ｐｉ２および第４期間Ｐｉ４に示したように、電圧Ｖｉ４に向かって下降する下り傾斜電圧を発生する。このとき途中でミラー積分回路６３の動作を停止させると、初期化期間Ｐｉｂの第６期間Ｐｉ６に示したように、一旦放電を停止させる下り傾斜電圧を発生することができる。また出力電圧が電圧Ｖｉ６に等しくなった時点でミラー積分回路６３の動作を停止することにより、初期化期間Ｐｉｂの第５期間Ｐｉ５および第７期間Ｐｉ７に示したように、電圧Ｖｉ６に向かって下降する下り傾斜電圧を発生させることができる。なおスイッチング素子Ｑ６９も分離スイッチであり、走査電極駆動回路３３を構成するスイッチング素子の寄生ダイオード等を介して電流が逆流するのを防止するために設けられている。
【００６３】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路３５で発生したそれぞれのスイッチング素子およびトランジスタに対応するタイミング信号により制御される。
【００６４】
図６は、本発明の実施の形態１におけるプラズマディスプレイ装置３０の維持電極駆動回路３４の回路図である。維持電極駆動回路３４は、維持パルス発生回路８０と、一定電圧発生回路８５とを備えている。
【００６５】
維持パルス発生回路８０は、電力回収回路８１と、スイッチング素子Ｑ８３と、スイッチング素子Ｑ８４とを有し、維持電極ＳＵ１〜ＳＵｎに印加する維持パルスを発生する。電力回収回路８１は維持電極ＳＵ１〜ＳＵｎを駆動するときの電力を回収して再利用する。スイッチング素子Ｑ８３をオンにすることで維持電極ＳＵ１〜ＳＵｎに電圧Ｖｓを印加し、スイッチング素子Ｑ８４をオンにすることで維持電極ＳＵ１〜ＳＵｎに電圧０（Ｖ）を印加する。
【００６６】
一定電圧発生回路８５は、スイッチング素子Ｑ８６、スイッチング素子Ｑ８７を有し、維持電極ＳＵ１〜ＳＵｎに電圧Ｖｅを印加する。
【００６７】
なお、これらのスイッチング素子も、ＭＯＳＦＥＴやＩＧＢＴ等の一般に知られた素子を用いて構成することができる。またこれらのスイッチング素子も、タイミング発生回路３５で発生したそれぞれのスイッチング素子に対応するタイミング信号により制御される。
【００６８】
図７は、本発明の実施の形態１におけるプラズマディスプレイ装置３０のデータ電極駆動回路３２の回路図である。データ電極駆動回路３２は、スイッチング素子Ｑ９１Ｈ１〜Ｑ９１Ｈｍ、スイッチング素子Ｑ９１Ｌ１〜Ｑ９１Ｌｍを有する。そしてスイッチング素子Ｑ９１Ｌｊをオンにすることでデータ電極Ｄｊに電圧０（Ｖ）を印加し、スイッチング素子Ｑ９１Ｈｊをオンにすることでデータ電極Ｄｊに電圧Ｖｄを印加する。
【００６９】
なお、初期化期間Ｐｉａの第５期間Ｐｉ５および初期化期間Ｐｉｂの第７期間Ｐｉ７では、全てのデータ電極Ｄ１〜Ｄｍに電圧Ｖｄを印加する。このとき全てのデータ電極Ｄ１〜Ｄｍの電圧を同一のタイミングで変化させると、走査電極ＳＣ１〜ＳＣｎや維持電極ＳＵ１〜ＳＵｎに大きなノイズが重畳して誤動作の要因となることがある。これを防ぐためには、データ電極Ｄ１〜Ｄｍを複数のグループに分けて、グループ毎に一斉に、かつグループ間では僅かにタイミングをずらせて電圧を印加するとよい。例えば、データ電極Ｄ１〜Ｄｍを４つのグループに分けて、グループ毎に５０μｓずつタイミングをずらせて電圧を印加してもよい。
【００７０】
以上の駆動回路を用いて、図３に示した駆動電圧波形を発生させることができる。しかし図４〜図７に示した駆動回路は一例であり、本発明は上記の駆動回路の回路構成に限定されるものではない。
【００７１】
（実施の形態２）
上述したように、安定した書込み動作を行う上で、データ電極Ｄ１〜Ｄｍ上の壁電圧を精度よく制御することが非常に重要となる。一方、データ電極Ｄ１〜Ｄｍの負荷容量は小さいため、僅かの壁電荷の変動が大きな壁電圧の変動を招く。そして隣接する放電セルからの荷電粒子の飛来等によりデータ電極上の壁電荷が変化すると、不灯や誤点灯などの誤動作を引き起こすおそれがある。
【００７２】
実施の形態１においては、黒の輝度を抑制するために、サブフィールドＳＦ２〜ＳＦ８の初期化期間では選択初期化動作を行っている。そしてサブフィールドＳＦ２〜ＳＦ８の初期化期間では走査電極ＳＣ１〜ＳＣｎに下り傾斜電圧を印加するので、何らかの理由でデータ電極に正極性の過剰の壁電圧が蓄積した放電セルでは初期化放電が発生してデータ電極上の壁電圧を調整することができる。しかしデータ電極の正極性の壁電圧が減少した放電セル、あるいは負極性の壁電圧が蓄積した放電セルでは初期化放電が発生せず、不灯セルとなる可能性があった。
【００７３】
実施の形態２においては、データ電極の正極性の壁電圧が減少した放電セル、あるいは負極性の壁電圧が蓄積した放電セルでも、選択初期化動作時に初期化放電を発生させて正常な動作をさせることができるパネルの駆動方法を説明する。
【００７４】
実施の形態２におけるサブフィールド構成は実施の形態１におけるサブフィールド構成と同様である。また実施の形態２におけるサブフィールドの書込み期間Ｐｗおよび維持期間Ｐｓにおいて各電極に印加する駆動電圧波形は、実施の形態１におけるサブフィールドの書込み期間Ｐｗおよび維持期間Ｐｓにおいて各電極に印加する駆動電圧波形と同じである。さらに実施の形態２において強制初期化動作を行うサブフィールドＳＦ１の初期化期間Ｐｉａで各電極に印加する駆動電圧波形も、実施の形態１において強制初期化動作を行うサブフィールドＳＦ１の初期化期間Ｐｉａで各電極に印加する駆動電圧波形と同じである。
【００７５】
実施の形態２が実施の形態１と異なる点は、選択初期化動作を行うサブフィールドＳＦ２〜ＳＦ８の初期化期間Ｐｉｃにおいて各電極に印加する駆動電圧波形である。
【００７６】
図８は、本発明の実施の形態２におけるプラズマディスプレイ装置の駆動電圧波形図であり、サブフィールドＳＦ１〜ＳＦ３においてパネル１０の各電極に印加する駆動電圧波形を示している。
【００７７】
選択初期化動作を行うサブフィールドの初期化期間Ｐｉｃでは、最初に走査電極ＳＣｉとデータ電極Ｄｋとの間で選択的に初期化放電を発生させ、その後に何らかの理由で壁電圧の変動した放電セルのデータ電極Ｄｈ（ｈ＝１〜ｍ）上の正極性の壁電圧の不足または負極性の壁電圧を解消するための異常電圧消去放電を発生させ、その後に走査電極ＳＣｉと維持電極ＳＵｉとの間で選択的に初期化放電を発生させる。便宜上、選択初期化動作を行うサブフィールドの初期化期間Ｐｉｃを、走査電極ＳＣｉとデータ電極Ｄｋとの間で初期化放電を発生させる第８期間Ｐｉ８と、異常電圧消去放電を発生させる第９期間Ｐｉ９と、走査電極ＳＣｉと維持電極ＳＵｉとの間で初期化放電を発生させる第１０期間Ｐｉ１０との三つの期間に分け、それぞれの期間について説明する。
【００７８】
初期化期間Ｐｉｃの第８期間Ｐｉ８では、実施の形態１における初期化期間Ｐｉｂの第８期間Ｐｉ８と同じである。すなわちデータ電極Ｄ１〜Ｄｍに電圧０（Ｖ）を印加し、維持電極ＳＵ１〜ＳＵｎにも電圧０（Ｖ）を印加し、走査電極ＳＣ１〜ＳＣｎには電圧０（Ｖ）から電圧Ｖｉ４まで下降する下り傾斜電圧を印加する。すると、直前のサブフィールドＳＦ１で維持放電を起こした放電セルでは、走査電極ＳＣｉとデータ電極Ｄｋとの間で微弱な初期化放電が発生し、維持放電によって蓄積されたデータ電極Ｄｋ上の正極性の壁電圧の過剰な部分が放電され、書込み動作に適した壁電圧に調整される。一方、直前のサブフィールドＳＦ１で維持放電を起こさなかった放電セルでは放電は発生せず、直前のサブフィールドＳＦ１の初期化期間Ｐｉａ終了時における壁電圧が保たれる。
【００７９】
ここでも実施の形態１と同様の理由により、走査電極ＳＣ１〜ＳＣｎに印加する下り傾斜電圧は、電圧Ｖｉ４まで下降する前に一旦傾斜を緩やかにする、あるいは一旦傾斜を止めて放電を停止させ、その後に再び電圧を下降させて放電を再開させている。
【００８０】
初期化期間Ｐｉｃの第９期間Ｐｉ９では、データ電極Ｄ１〜Ｄｍに電圧０（Ｖ）を印加し、維持電極ＳＵ１〜ＳＵｎにも電圧０（Ｖ）を印加し、走査電極ＳＣ１〜ＳＣｎには電圧Ｖｓを印加する。このとき正常に動作している放電セルでは放電は発生しない。しかしデータ電極Ｄｈの正極性の壁電圧が減少している放電セルあるいはデータ電極Ｄｈの負極性の壁電圧が蓄積した放電セルでは放電が発生して、走査電極ＳＣｉ上に負極性の壁電圧が蓄積し、データ電極Ｄｈ上に正極性の壁電圧が蓄積する。
【００８１】
こうしてデータ電極Ｄｈの正極性の壁電圧が減少している放電セルおよびデータ電極Ｄｈの負極性の壁電圧が蓄積した放電セルのデータ電極Ｄｈ上には十分な量の正極性の壁電圧が蓄積される。
【００８２】
初期化期間Ｐｉｃの第１０期間Ｐｉ１０では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜電圧を印加する。
【００８３】
すると、直前のサブフィールドＳＦ１で維持放電を起こした放電セルでは、走査電極ＳＣｉと維持電極ＳＵｉとの間で微弱な初期化放電が発生し、走査電極ＳＣｉ上および維持電極ＳＵｉ上の壁電圧が弱められる。一方、直前のサブフィールドＳＦ１で維持放電を起こさなかった放電セルでは放電は発生せず、直前のサブフィールドＳＦ１の初期化期間Ｐｉａ終了時における壁電圧が保たれる。
【００８４】
さらに初期化期間Ｐｉｃの第９期間Ｐｉ９で放電を発生した放電セルでは、走査電極ＳＣｉとデータ電極Ｄｈとの間で放電が発生し、データ電極Ｄｈ上の壁電圧は書込み動作に適した値に調整される。
【００８５】
このように実施の形態２においては、選択初期化動作を行うサブフィールドの初期化期間Ｐｉｃに異常電圧消去放電を発生させる第９期間Ｐｉ９を設けることで、データ電極の正極性の壁電圧が減少した放電セル、あるいは負極性の壁電圧が蓄積した放電セルでも、選択初期化動作時に初期化放電を発生させて正常な動作をさせることができる。
【００８６】
なお図８に示した駆動電圧波形の維持期間Ｐｓにおいては、走査電極ＳＣ１〜ＳＣｎと維持電極ＳＵ１〜ＳＵｎとに交互に維持パルスを印加した後、すぐに走査電極ＳＣ１〜ＳＣｎに上り傾斜電圧を印加する駆動電圧波形を示した。しかし実施の形態１と同様に、走査電極ＳＣ１〜ＳＣｎと維持電極ＳＵ１〜ＳＵｎとに交互に維持パルスを印加した後、走査電極ＳＣ１〜ＳＣｎを電圧０（Ｖ）に保持したまま、維持電極ＳＵ１〜ＳＵｎの電圧を電圧Ｖｓから一旦電圧０（Ｖ）に下げ、その直後に電圧Ｖｅ２を印加して細幅パルスを印加する。そしてその後、維持電極ＳＵ１〜ＳＵｎに電圧０（Ｖ）を印加し、走査電極ＳＣ１〜ＳＣｎに上り傾斜電圧を印加してもよい。
【００８７】
また、実施の形態１および実施の形態２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００８８】
本発明は、大画面、高精細度パネルであっても、十分な駆動マージンを確保して、高品質の画像を安定して表示することができるので、プラズマディスプレイパネルの駆動方法およびプラズマディスプレイ装置として有用である。
【符号の説明】
【００８９】
１０    パネル
１２    走査電極
１３    維持電極
２２    データ電極
３０    プラズマディスプレイ装置
３１    画像信号処理回路
３２    データ電極駆動回路
３３    走査電極駆動回路
３４    維持電極駆動回路
３５    タイミング発生回路
【図１】
2013145270.tif 000003
【図２】
2013145270.tif 000004
【図３】
2013145270.tif 000005
【図４】
2013145270.tif 000006
【図５】
2013145270.tif 000007
【図６】
2013145270.tif 000008
【図７】
2013145270.tif 000009
【図８】
2013145270.tif 000010